(57)【要約】      （修正有）【課題】運搬・保管時のスペースの効率化を図る事ができ、なおかつ極めて単純かつ製作の容易な変形抑止機構を備えた携帯用折りたたみバリケードを提供する。【解決手段】板状の部材である表示部1と、表示部両端に枢設された支柱部2a,2bにより構成され、主に使用時は支柱部が表示部両端より垂下され全体として略門型の形態を成し、主に格納時は支柱部がそれぞれ枢軸を中心に略９０度回転することにより平面上は表示部と支柱部が同一平面上に納まる形態変化を成し、それぞれの支柱部には枢軸の近傍に、支柱部より表示部を面方向に貫通するピン5a,5bが突設、あるいは枢設され、それに対応して表示部には支柱部が枢設された面に、支柱部が略９０度回転した場合に支柱部のピンが表示部上を枢軸部を中心に回転移動する軌跡に沿って長孔状の案内孔3a,3bを両支柱部に対応して設け、略門型の形態を為した場合にその略門型の形態を崩す面内変形を抑止する様に構成される。【選択図】図１
0003101414.tif 000002
【実用新案登録請求の範囲】
【請求項１】
板状の部材である表示部と、表示部両端に枢設された支柱部により構成され、主に使用時は支柱部が表示部両端より垂下され全体として略門型の形態を成し、主に格納時は支柱部がそれぞれ枢軸を中心に略９０度回転することにより平面上は表示部と支柱部が同一平面上に納まる形態変化を成し、それぞれの支柱部には枢軸の近傍に、支柱部より表示部を面方向に貫通するピンが突設、あるいは枢設され、それに対応して表示部には支柱部が枢設された面に、支柱部が略９０度回転した場合に支柱部のピンが表示部上を、枢軸部を中心に回転移動する軌跡に沿って長孔状の案内孔を両支柱部に対応して設け、略門型の形態を為した場合にその略門型の形態を崩す面内変形を抑止する様に構成されたことを特徴とするバリケード。
【考案の詳細な説明】
【技術分野】
【０００１】  本考案は主として工事用、交通等の規制用に使用される携帯用折りたたみバリケードの改良に関する。
【背景技術】
【０００２】  従来は支柱部及びそれらを繋ぐ横架部が固定されたバリケードが見受けられたが、それらは運搬・保管の観点から見れば嵩張り、非効率的なものであった。そこで支柱部と横架部を可動とし、折り畳んで携帯可能、あるいは運搬・保管時のスペースの効率化を図ったものが見受けられた。
【考案の開示】
【考案が解決しようとする課題】
【０００３】  一方、支柱部と横架部を可動にするという事は部材の接点を回転可能なヒンジにするという事でもあり、つまりは設置時に面内変形を起こす不安定な構造であるという事である。従来この面内変形を抑止するために様々な機構が考案されていたが、一般的に部材を付加して抑止させるためおのずから機構が複雑化するという問題があった。
本考案は上記の事情に鑑みてなされたもので、その目的はより単純かつ小規模な構造で面内変形を抑止する機構を備えたバリケードを提供する事にある。
【課題を解決しようとする手段】
【０００４】  本考案の携帯用折りたたみバリケードは板状の部材である表示部と、表示部両端に枢設された支柱部により構成され、主に使用時は支柱部が表示部両端より垂下され全体として略門型の形態を成し、主に格納時は支柱部がそれぞれ枢軸を中心に略９０度回転することにより平面上は表示部と支柱部が同一平面上に納まる形態変化を成し、それぞれの支柱部には枢軸の近傍に、支柱部より表示部を面方向に貫通するピンが突設、あるいは枢設され、それに対応して表示部には支柱部が枢設された面に支柱部が略９０度回転した場合に支柱部のピンが表示部上を枢軸部を中心に回転移動する軌跡に沿って長孔状の案内孔を両支柱部に対応して設け、略門型の形態を為した場合にその略門型の形態を崩す面内変形を抑止する様に構成されたことを特徴とするものである。
【考案の効果】
【０００５】  本考案によれば運搬・保管時のスペースの効率化を図る事ができ、なおかつ極めて単純かつ製作の容易な変形抑止機構を備えた携帯用折りたたみバリケードを提供する事が可能になる。
【考案を実施する為の最良の形態】
【０００６】  本考案にかかる携帯用折りたたみバリケード各部は金属、樹脂、あるいは木のいずれかを適所に配し構成される。
【０００７】  以下、本発明の実施の形態を図面に基づいて説明する。図１に示される如く本発明にかかる携帯用折りたたみバリケードは主に符号１である表示部と符号２ａである支柱部甲及び符号２ｂである支柱部乙により構成される。
【０００８】  表示部と支柱部甲及び乙は表示部両端においてそれぞれ符号４ａ及び符号４ｂである、回転運動を保障された枢軸部甲もしくは乙を介して連枢される。
【０００９】  使用時は、表示部と支柱部甲、乙はそれぞれの成す角度が略９０度になるように配され、当該バリケードは全体として略門型の形態となる。
【００１０】  ここで符号４ａ及び符号４ｂである両枢軸部は一般的には図７に示される如く符号４ｃであるボルト体、符号４ｅであるナット体、及び符号４ｄである座金で構成され、ボルト体が表示部及び支柱部を挿通し、端部にナット体が螺着されて構成される。
【００１１】  また図７に示される如く支柱部甲、乙にはそれぞれ枢軸部近傍に５ａ及び符号５ｂであるピン甲、乙が表示部方向に設けられる。
【００１２】  ここで符号５ａ及び符号５ｂである両ピンは一般的には図７に示される如く符号５ｃであるボルト体、符号５ｅであるナット体、及び符号５ｄである座金で構成され、当該ボルト体が支柱部及び後述する符号３ａもしくは符号３ｂである表示部の案内孔甲、乙を挿通し、端部にナット体が螺着されて構成される。
【００１３】  表示部には、図１に示される如く湾曲した長孔状の符号３ａ及び符号３ｂである案内孔甲、乙が、支柱部のピン甲、乙が表示部上を枢設部を中心に回転移動する軌跡に沿って穿設される。
【００１４】  この時案内孔が穿設される範囲は図１に示される如く格納時の支柱部と表示部の成す角度を０度とし、使用時における角度を９０度とする場合において、０度の位置より９０度の位置に至るまでとする。
【００１５】  ここで使用時における当該バリケードの面内変形を抑止する原理を説明する。図１において実線矢印で示されるいずれかの方向に変形させようとする力が加わった場合、例えば図１の向って右方向に力が加わった場合、支柱部甲の符号５ａであるピン甲が符号３ａである案内孔甲の端部壁に当接し、当該バリケード全体の右方向への変形を抑止する。
一方図１の向って左方向に力が加わった場合、支柱部乙の符号５ｂであるピン乙が符号３ｂである案内孔乙の端部壁に当接し、当該バリケード全体の左方向への変形を抑止する。
【００１６】  次に使用時より格納時へ至る当該バリケードの変形要領を示す。図１に示される如く、二点鎖線矢印で示される要領で順に支柱部を回転させれば図２に示される格納時の形態に変化する。
【００１７】  この時、両支柱部の交錯を避けるため、符号４ａ及び４ｂである両枢軸部は図１の向かって上下方向に一定の間隔をもってずらして配される。つまり格納時において前述のずらした分だけの距離をもって両支柱部が配される。
【００１８】  使用時は図８に示される如く市販の保持部材を用意し、当該保持部材の挿入孔に両支柱部を挿入して設置する。
【００１９】  なお図面により示された当器具の各形状は当考案の主旨を逸脱しない範囲において様々な変形例が考えられるため、図面に示された形態が当考案の範囲を限定するものではない。また枢軸部及びピンの機構も基本的な機能を保障する範囲内であれば図によって示し、また実施例で説明した例以外の機構も考えられるため、当該実施例が当考案の範囲を限定するものではない。
【図面の簡単な説明】
【００２０】
【図１】は本考案にかかる携帯用折りたたみバリケードの使用時における背面図である。
【図２】は本考案にかかる携帯用折りたたみバリケードの格納時における背面図である。
【図３】は本考案にかかる携帯用折りたたみバリケードの使用時における正面図である。
【図４】は本考案にかかる携帯用折りたたみバリケードの格納時における正面図である。
【図５】は本考案にかかる携帯用折りたたみバリケードの使用時における右側面図である。
【図６】は本考案にかかる携帯用折りたたみバリケードの使用時における平面図である。
【図７】は本考案にかかる携帯用折りたたみバリケードのＡ−Ａ方向断面図である。
【図８】は本考案にかかる携帯用折りたたみバリケードの使用時における斜視図である。
【符号の説明】
１は表示部
２ａは支柱部甲
２ｂは支柱部乙
３ａは案内溝甲
３ｂは案内溝乙
４ａは枢軸部甲
４ｂは枢軸部乙
４ｃは枢軸部におけるボルト体
４ｄは枢軸部における座金
４ｅは枢軸部におけるナット体
５ａはピン甲
５ｂはピン乙
５ｃはピンにおけるボルト体
５ｄはピンにおける座金
５ｅはピンにおけるナット体
６は本考案にかかる携帯用折りたたみバリケード
７は保持部材
【図１】
0003101414.tif 000003
【図２】
0003101414.tif 000004
【図３】
0003101414.tif 000005
【図４】
0003101414.tif 000006
【図５】
0003101414.tif 000007
【図６】
0003101414.tif 000008
【図７】
0003101414.tif 000009
【図８】
0003101414.tif 000010